【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
診断対象の組織又は細胞の切片を撮像した同一画像内の広視野の画像データと狭視野の画像データを入力する入力部と、
前記入力部に入力した画像データを処理して前記広視野の画像データから前記組織の画像上の特徴量を抽出するとともに前記狭視野の画像データから前記細胞の画像上の特徴量を抽出する特徴抽出部と、
前記特徴抽出部で抽出した前記広視野の画像データの特徴量から前記組織が正常か異常かを分類し、前記狭視野の画像データの特徴量から前記細胞が正常か異常かを分類する一視野判定部と、
前記一視野判定部で分類した前記広視野の画像データの分類結果と前記狭視野の画像データの分類結果とから前記診断対象の病変らしさを分類する複数視野判定部と、
前記画像データ上で前記複数視野判定部で異常と分類した前記組織又は細胞を含む領域を顕在化させる描画部と、
前記描画部で前記異常と分類した前記組織又は細胞を含む領域を顕在化させた画像を保存する記録部と
を備えたことを特徴とする画像診断支援装置。
【請求項２】
請求項１記載の画像診断支援装置であって、前記特徴抽出部で抽出した前記組織の切片の前記広視野の画像データの特徴量及び前記一視野判定部で前記組織が正常か異常かを分類した結果を用いて前記入力部に入力した画像データにおける組織が正常組織か異常組織かを分類する第１の識別器と、前記特徴抽出部で抽出した前記細胞の切片の前記狭視野の画像データの特徴量及び前記一視野判定部で前記細胞が正常か異常かを分類した結果を用いて前記入力部に入力した画像データにおける細胞が正常細胞か異常細胞かを分類する第２の識別器とを作成する学習部を更に備えることを特徴とする画像診断支援装置。
【請求項３】
請求項１記載の画像診断支援装置であって、前記一視野判定部は、前記広視野の画像データの特徴量から前記組織の変形具合を算出して前記組織が正常か異常かを分類し、前記狭視野の画像データの特徴量から前記細胞の変形具合を算出して前記細胞が正常か異常かを分類することを特徴とする画像診断支援装置。
【請求項４】
請求項１記載の画像診断支援装置であって、前記描画部は、前記複数視野判定部で異常と分類した前記組織又は細胞を含む領域を前記画像データ上で枠で囲んで前記組織又は細胞を含む領域を顕在化させることを特徴とする画像診断支援装置。
【請求項５】
請求項１記載の画像診断支援装置であって、表示画面を備えた出力部を更に備え、前記出力部の表示画面上に、前記複数視野判定部で異常と分類した前記組織又は細胞を含む領域を描画部で顕在化させた前記広視野の画像データと前記狭視野の画像データとを並べて表示することを特徴とする画像診断支援装置。
【請求項６】
診断対象の組織を撮像した広視野の画像データを入力部に入力し、
前記入力部に入力した前記広視野の画像データを特徴抽出部で処理して前記組織の画像上の特徴量を抽出し、
前記特徴抽出部で抽出した前記広視野の画像データの特徴量から一視野判定部で前記組織が正常か異常かを分類し、
前記一視野判定部で異常と分類した組織について撮像した細胞を含む広視野と同一画像内の狭視野の画像データを前記入力部に入力し、
前記入力部に入力した前記狭視野の画像データを特徴抽出部で処理して前記細胞の画像上の特徴量を抽出し、
前記特徴抽出部で抽出した前記狭視野の画像データの特徴量から前記一視野判定部で前記細胞が正常か異常かを分類し、
前記一視野判定部で分類した前記広視野の画像データの分類結果と前記狭視野の画像データの分類結果とから複数視野判定部で前記診断対象の病変らしさを分類し、
前記一視野判定部で異常と分類した前記組織又は前記細胞を含む領域を描画部において前記画像データ上で顕在化させ、
前記異常と分類した前記組織又は前記細胞を含む領域を顕在化させた画像データを記録部に保存することを特徴とする画像診断支援方法。
【請求項７】
請求項６記載の画像診断支援方法であって、学習部において、前記特徴抽出部で抽出した前記組織の切片の前記広視野の画像データの特徴量及び前記一視野判定部で前記組織が正常か異常かを分類した結果を用いて前記入力部に入力した画像データにおける組織が正常組織か異常組織かを分類する第１の識別器と、前記特徴抽出部で抽出した前記細胞の切片の前記狭視野の画像データの特徴量及び前記一視野判定部で前記細胞が正常か異常かを分類した結果を用いて前記入力部に入力した画像データにおける細胞が正常細胞か異常細胞かを分類する第２の識別器とを作成することを特徴とする画像診断支援方法。
【請求項８】
請求項６記載の画像診断支援方法であって、前記一視野判定部において、前記広視野の画像データの特徴量から前記組織の変形具合を算出して前記組織が正常か異常かを分類し、前記狭視野の画像データの特徴量から前記細胞の変形具合を算出して前記細胞が正常か異常かを分類することを特徴とする画像診断支援方法。
【請求項９】
請求項６記載の画像診断支援方法であって、前記描画部において、前記複数視野判定部で異常と分類した前記組織又は細胞を含む領域を前記画像データ上で枠で囲んで前記組織又は細胞を含む領域を顕在化させることを特徴とする画像診断支援方法。
【請求項１０】
請求項６記載の画像診断支援方法であって、出力部の表示画面上に、前記複数視野判定部で異常と分類した前記組織又は細胞を含む領域を描画部で顕在化させた前記広視野の画像データと前記狭視野の画像データとを並べて表示することを特徴とする画像診断支援方法。
【請求項１１】
診断対象の細胞を撮像した狭視野の画像データを入力部に入力し、
前記入力部に入力した狭視野の画像データを特徴抽出部で処理して前記細胞の画像上の特徴量を抽出し、
前記特徴抽出部で抽出した前記狭視野の画像データの特徴量から一視野判定部で前記細胞が正常か異常かを分類し、
前記一視野判定部で異常と分類した細胞を含む組織を撮像して前記組織の広視野の画像データを前記入力部に入力し、
前記入力部に入力した広視野の画像データを特徴抽出部で処理して前記組織の画像上の特徴量を抽出し、
前記特徴抽出部で抽出した前記広視野の画像データの特徴量から一視野判定部で前記組織が正常か異常かを分類し、
前記一視野判定部で分類した前記狭視野の画像データの分類結果と前記広視野の画像データの分類結果とから複数視野判定部で前記診断対象の病変らしさを分類し、
前記一視野判定部で異常と分類した前記組織又は前記細胞を含む領域を描画部において前記画像データ上で顕在化させ、
前記異常と分類した前記組織又は前記細胞を含む領域を顕在化させた画像データを記録部に保存することを特徴とする画像診断支援方法。
【請求項１２】
請求項１１記載の画像診断支援方法であって、学習部において、前記特徴抽出部で抽出した前記細胞の切片の前記狭視野の画像データの特徴量及び前記一視野判定部で前記細胞が正常か異常かを分類した結果を用いて前記入力部に入力した画像データにおける細胞が正常細胞か異常細胞かを分類する第１の識別器と、前記特徴抽出部で抽出した前記組織の切片の前記広視野の画像データの特徴量及び前記一視野判定部で前記組織が正常か異常かを分類した結果を用いて前記入力部に入力した画像データにおける組織が正常組織か異常組織かを分類する第２の識別器とを作成することを特徴とする画像診断支援方法。
【請求項１３】
請求項１１記載の画像診断支援方法であって、前記一視野判定部において、前記狭視野の画像データの特徴量から前記細胞の変形具合を算出して前記細胞が正常か異常かを分類し、前記広視野の画像データの特徴量から前記組織の変形具合を算出して前記組織が正常か異常かを分類することを特徴とする画像診断支援方法。
【請求項１４】
請求項１１記載の画像診断支援方法であって、前記描画部において、前記複数視野判定部で異常と分類した前記組織又は細胞を含む領域を前記画像データ上で枠で囲んで前記組織又は細胞を含む領域を顕在化させることを特徴とする画像診断支援方法。
【請求項１５】
請求項１１記載の画像診断支援方法であって、出力部の表示画面上に、前記複数視野判定部で異常と分類した前記組織又は細胞を含む領域を描画部で顕在化させた前記広視野の画像データと前記狭視野の画像データとを並べて表示することを特徴とする画像診断支援
方法。
【請求項１６】
画像データを撮影する撮像部と表示部とを有する画像取得装置と、
請求項１に記載の画像診断支援装置を有するサーバーと、を有し、
前記画像取得装置は、前記サーバーに前記画像データを送信し、
前記サーバーは、前記送信された前記画像データを受信して前記画像診断支援装置で処理して判定された組織や細胞の画像と判定結果をメモリに格納するとともに、前記画像取得装置に送信し、前記画像取得装置は、前記サーバーから送信されて受信した判定結果と前記判定された組織や細胞の画像を前記表示部に表示することを特徴とする遠隔診断支援システム。
【請求項１７】
画像データを撮影する撮像部を有する画像取得・処理装置と、
請求項１に記載の画像診断支援装置を有するサーバーと、
表示装置とを有し、
前記画像取得・処理装置は、前記サーバーに前記画像データを送信し、
前記サーバーは、前記送信された前記画像データを受信して前記画像診断支援装置で処理して判定された組織や細胞の画像と識別器をメモリに格納するとともに、識別器を前記画像取得・処理装置に送信し、
前記画像取得・処理装置内の請求項１に記載の画像診断支援装置は、前記サーバーから送信されて受信した前記識別器を用いて他の組織や細胞の画像を判定するとともに、判定結果を前記表示装置に表示することを特徴とするネット受託サービス提供システム。